【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
移動可能な搬送アームに、積層状態のメディアの最上部のメディアを把持する把持機構が設けられたメディア搬送機構であって、
前記搬送アームは、前記把持機構によって把持して持ち上げる最上部のメディアの直下のメディアに当接する作用片を有する移動可能なレバーを備えていることを特徴とするメディア搬送機構。
【請求項２】
請求項１に記載のメディア搬送機構であって、
前記作用片は、前記レバーの移動により、前記把持機構によって把持するメディアの下方側で、前記メディアの中心孔から径方向外方へ移動することを特徴とするメディア搬送機構。
【請求項３】
請求項２に記載のメディア搬送機構であって、
前記レバーは、前記搬送アームの移動によって移動されることを特徴とするメディア搬送機構。
【請求項４】
請求項３に記載のメディア搬送機構であって、
前記レバーは、前記搬送アームの上昇時には前記作用片が最上部のメディアの直下のメディアに当接して径方向に移動させる位置となり、前記搬送アームの下降時には前記作用片が最上部のメディアの直下のメディアに当接しない位置となるように移動されることを特徴とするメディア搬送機構。
【請求項５】
請求項４に記載のメディア搬送機構であって、
前記レバーを移動させる機構は、鉛直方向に配置されたラックと、このラックに歯合したピニオンとを有し、前記搬送アームの移動によって回転されるピニオンの回転力によって前記レバーを移動させることを特徴とするメディア搬送機構。
【請求項６】
請求項５に記載のメディア搬送機構であって、
前記レバーを移動させる機構は、前記搬送アームの移動時に所定角度だけ回転可能なクラッチ歯車を備えていることを特徴とするメディア搬送機構。
【請求項７】
請求項１から６の何れか一項に記載のメディア搬送機構を備えていることを特徴とするメディア処理装置。
【請求項８】
移動可能な搬送アームに、積層状態のメディアの最上部のメディアを把持する把持機構が設けられ、前記搬送アームは、前記把持機構によって把持して持ち上げる最上部のメディアの直下のメディアに当接する作用片を有する移動可能なレバーを備えているメディア搬送機構によるメディア搬送方法であって、  前記把持機構により積層状態のメディアの最上部のメディアを把持した状態で、前記搬送アームを移動させ、その移動中に前記レバーを移動させて、把持した前記最上部のメディアの直下のメディアに前記作用片を当接させることを特徴とするメディア搬送方法。
【手続補正２】
【補正対象書類名】明細書
【補正対象項目名】発明の名称
【補正方法】変更
【補正の内容】
【発明の名称】メディア搬送機構、それを備えたメディア処理装置、及びメディア搬送方法
【手続補正３】
【補正対象書類名】明細書
【補正対象項目名】０００１
【補正方法】変更
【補正の内容】
【０００１】
本発明は、ＣＤあるいはＤＶＤなどの円板状のメディアを搬送するメディア搬送機構、それを備えたメディア処理装置、及びメディア搬送方法に関する。
【手続補正４】
【補正対象書類名】明細書
【補正対象項目名】０００５
【補正方法】変更
【補正の内容】
【０００５】
そこで本発明の目的は、把持対象のメディアを１枚のみ確実に搬送することが可能なメディア搬送機構、それを備えたメディア処理装置、及びメディア搬送方法を提供することを目的としている。
【手続補正５】
【補正対象書類名】明細書
【補正対象項目名】０００６
【補正方法】変更
【補正の内容】
【０００６】
上記課題を解決することのできる本発明に係るメディア搬送機構は、移動可能な搬送アームに、積層状態のメディアの最上部のメディアを把持する把持機構が設けられたメディア搬送機構であって、前記搬送アームは、前記把持機構によって把持して持ち上げる最上部のメディアの直下のメディアに当接する作用片を有する移動可能なレバーを備えていることを特徴とする。
【手続補正６】
【補正対象書類名】明細書
【補正対象項目名】０００７
【補正方法】変更
【補正の内容】
【０００７】
この構成のメディア搬送機構によれば、把持機構によって把持して持ち上げる最上部のメディアの直下のメディアに当接する作用片を有する移動可能なレバーを備えているため、把持対象のメディアの直下のメディアが密着して貼り付いていたとしても、この直下のメディアに作用片を当接させてそのメディアを蹴落として、最上部の１枚のメディアだけを、把持不良なく持ち上げて搬送することができる。
【手続補正７】
【補正対象書類名】明細書
【補正対象項目名】０００８
【補正方法】変更
【補正の内容】
【０００８】
また、前記作用片は、前記レバーの移動により、前記把持機構によって把持するメディアの下方側で、前記メディアの中心孔から径方向外方へ移動することが好ましい。
この構成によれば、メディアの中心孔から径方向外方へ移動する作用片を有する移動可能なレバーを備えているため、最上部のメディアを把持して持ち上げる際に、レバーを移動させて作用片を移動させることにより、把持対象のメディアに密着して貼り付いていた直下のメディアを容易に蹴落とすことができる。
【手続補正８】
【補正対象書類名】明細書
【補正対象項目名】０００９
【補正方法】変更
【補正の内容】
【０００９】
また、前記レバーは、前記搬送アームの移動によって移動されることが好ましい。
この構成によれば、搬送アームの移動によってレバーを移動されるので、専用の駆動機構を設けることなく、レバーを移動させて把持対象のメディアの直下のメディアを蹴落とすことができる。
また、前記レバーは、前記搬送アームの上昇時には前記作用片が最上部のメディアの直下のメディアに当接して径方向に移動させる位置となり、前記搬送アームの下降時には前記作用片が最上部のメディアの直下のメディアに当接しない位置となるように移動されることが好ましい。
【手続補正９】
【補正対象書類名】明細書
【補正対象項目名】００１０
【補正方法】変更
【補正の内容】
【００１０】
また、前記レバーを移動させる機構は、鉛直方向に配置されたラックと、このラックに歯合したピニオンとを有し、前記搬送アームの移動によって回転されるピニオンの回転力によって前記レバーを移動させることが好ましい。
この構成によれば、レバーを移動させる機構が、鉛直方向に配置されたラックと、このラックに歯合したピニオンとを有し、搬送アームの移動によって回転されるピニオンの回転力によってレバーを揺動させるので、搬送アームを昇降させることにより、容易にレバーを移動させて作用片を径方向外方へ出没させることができる。
【手続補正１０】
【補正対象書類名】明細書
【補正対象項目名】００１１
【補正方法】変更
【補正の内容】
【００１１】
また、前記レバーを移動させる機構は、前記搬送アームの移動時に所定角度だけ回転可能なクラッチ歯車を備えていることが好ましい。
この構成によれば、レバーを移動させる機構が、搬送アームの移動時に所定角度だけ回転可能なクラッチ歯車を備えるので、搬送アームを移動させて把持対象のメディアを持ち上げるときは、搬送アームの移動の際に所定角度だけ回転したクラッチ歯車によってレバーが所定量だけ移動され、これにより、作用片を径方向外方に所定量だけ突出させて把持対象の直下のメディアを蹴落とすことができる。
また、メディアを把持するため、あるいは把持したメディアを所定位置に載置させるために搬送アームを移動させるときは、搬送アームの移動の際に所定角度だけ逆回転したクラッチ歯車によってレバーが所定量だけ逆方向へ移動され、これにより、作用片を引き込むことができ、把持対象のメディアや載置するメディアへの作用片の干渉を防止することができる。
【手続補正１１】
【補正対象書類名】明細書
【補正対象項目名】００１２
【補正方法】変更
【補正の内容】
【００１２】
また、本発明のメディア処理装置は、上記の何れかのメディア搬送機構を備えていることを特徴とする。
この構成のメディア処理装置によれば、積層状態のメディアの最上部のメディアだけを確実に把持することが可能なメディア搬送機構を備えているので、処理対象の所定のメディアを１枚のみ確実に搬送することができ、処理の信頼性の高い処理装置とすることができる。
また、本発明のメディア搬送方法は、移動可能な搬送アームに、積層状態のメディアの最上部のメディアを把持する把持機構が設けられ、前記搬送アームは、前記把持機構によって把持して持ち上げる最上部のメディアの直下のメディアに当接する作用片を有する移動可能なレバーを備えているメディア搬送機構によるメディア搬送方法であって、前記把持機構により積層状態のメディアの最上部のメディアを把持した状態で、前記搬送アームを移動させ、その移動中に前記レバーを移動させて、把持した前記最上部のメディアの直下のメディアに前記作用片を当接させることを特徴とする。
【手続補正１２】
【補正対象書類名】明細書
【補正対象項目名】００１３
【補正方法】変更
【補正の内容】
【００１３】
以下、本発明に係るメディア搬送機構、それを備えたメディア処理装置、及びメディア搬送方法の実施形態について図面を参照して説明する。
なお、本実施形態では、パブリッシャからなるメディア処理装置に適用した場合を例にとって説明する。
図１はパブリッシャ（メディア処理装置）の外観斜視図、図２はパブリッシャのケースを外した状態の前方側の斜視図、図３はパブリッシャのケースを外した状態の後方側の斜視図、図４はパブリッシャに設置されたレーベルプリンタ部分の斜視図である。